(57)【要約】【課題】施工後の清掃作業性及びメンテナンス性に優れたソーラーパネル取付構造を提供する。【解決手段】ソーラーパネル取付構造１０は、金属板で構成された屋根材１１上に固着された固定レール１２と、固定レール１２の長手方向に沿って摺動可能に係合するスライド部材であるスライドレール１３と、スライドレール１３に固定されたソーラーパネル１４とを備えている。固定レール１２は、当該固定レール１２の固定部１２ｂの下面と、屋根材１１の表面との間に両面粘着テープ１５及び接着剤１６を介在させることによって屋根材１１上に固定されている。スライドレール１３は、その固定部１３ｂをソーラーパネル１４の下面に密着させた状態でネジ１８によって固定されている。【選択図】図１
2012162895.tif 000002
【特許請求の範囲】
【請求項１】
屋根材上に固着された固定レールと、前記固定レールの長手方向に沿って摺動可能に係合するスライド部材と、前記スライド部材に固定されたソーラーパネルとを備えたことを特徴とするソーラーパネル取付構造。
【請求項２】
前記スライド部材として、前記固定レールの長手方向に沿って係合するスライドレールを用いた請求項１記載のソーラーパネル取付構造。
【請求項３】
屋根材に対する前記固定レールの固着手段として、両面粘着テープ若しくは接着剤の少なくとも一方を用いた請求項１または２記載のソーラーパネル取付構造。
【発明の詳細な説明】
【技術分野】
【０００１】
本発明は、金属板などで葺かれた屋根にソーラーパネルを設置する際に用いられるソーラーパネル取付構造に関する。
【背景技術】
【０００２】
金属板で葺かれた屋根にソーラーパネルを設置する際の取付構造については、従来、様々な方式が提案されているが、本願発明に関連するものとして、例えば、特許文献１記載の「屋根置き設備の設置装置」あるいは特許文献２記載の「ソーラーパネル取付装置」がある。これらの文献に記載されている装置は、所定の部材を組み合わせて屋根上に固定することによって形成された支持体上にソーラーパネルを固定するというものである。
【先行技術文献】
【特許文献】
【０００３】
【特許文献１】特開２００６−５７３９７号公報
【特許文献２】特開２００９−９１８１１号公報
【発明の概要】
【発明が解決しようとする課題】
【０００４】
特許文献１，２に記載された装置においては、設置後のソーラーパネルと屋根との間に若干の隙間が生じるため、施工後の時間経過に伴い、風雨などによって運ばれてきた木の葉や塵埃などが隙間に入り込んで溜まっていくことが多い。前記隙間に溜まった木の葉や塵埃などは、屋根材を汚損するので建物の外観を悪化させるだけでなく、水分を含んだ状態を維持することによって屋根材を腐食させ、雨漏りの原因となることがある。
【０００５】
このような問題を防止するためには、ソーラーパネルと屋根との隙間を定期的に清掃して、木の葉や塵埃などを除去することが必要であるが、前記隙間は狭く、清掃用具などを差し込むことが難しいので、施工後における前記隙間の清掃やメンテナンスなどは殆ど行われていないのが実状である。
【０００６】
一方、屋根上に設置されたソーラーパネルを持ち上げたり、取り外したりすれば、前記隙間が広がって、屋根材が露出するので、清掃やメンテナンスなどは容易となるのであるが、特許文献１，２記載の装置などにおいては、ソーラーパネルがネジなどで屋根に強固に固定されているため、取り外しが困難である。
【０００７】
本発明が解決しようとする課題は、施工後の清掃作業性及びメンテナンス性に優れたソーラーパネル取付構造を提供することにある。
【課題を解決するための手段】
【０００８】
本発明のソーラーパネル取付構造は、屋根材上に固着された固定レールと、前記固定レールの長手方向に沿って摺動可能に係合するスライド部材と、前記スライド部材に固定されたソーラーパネルとを備えたことを特徴とする。
【０００９】
このような構成とすれば、屋根材上に固着された固定レールにスライド部材を介して保持されたソーラーパネルは、施工後においても、スライド部材とともに固定レールに沿って移動可能となるので、ソーラーパネルを固定レール方向に移動させてソーラーパネル下方の屋根材を露出させた状態にすれば、屋根材の清掃やメンテナンスなどを容易に行うことができる。また、前記隙間に溜まる木の葉や塵埃などの除去作業が容易となるので、定期的な清掃やメンテナンスを行うことにより、屋根材の汚損や雨漏り発生を防止することができる。
【００１０】
ここで、前記スライド部材として、前記固定レールの長手方向に沿って係合するスライドレールを用いることが望ましい。このような構成とすれば、ソーラーパネルを固定レールに安定保持することができ、また、スライド操作も容易となる。
【００１１】
一方、屋根材に対する前記固定レールの固着手段として、両面粘着テープ若しくは接着剤の少なくとも一方を用いれば、ネジや釘などを使用することなく固定レールを屋根材に固着することが可能となるため、取付作業が容易となり、雨漏り防止にも有効である。
【発明の効果】
【００１２】
本発明により、施工後の清掃作業性及びメンテナンス性に優れたソーラーパネル取付構造を提供することができる。
【図面の簡単な説明】
【００１３】
【図１】本発明の実施形態であるソーラーパネル取付構造を示す一部省略側面図である。
【図２】図１に示すソーラーパネル取付構造の一部拡大図である。
【発明を実施するための形態】
【００１４】
図１に示すように、本実施形態のソーラーパネル取付構造１０は、金属板で構成された屋根材１１上に固着された固定レール１２と、固定レール１２の長手方向に沿って摺動可能に係合するスライド部材であるスライドレール１３と、スライドレール１３に固定されたソーラーパネル１４とを備えている。図２に示すように、固定レール１２及びスライドレール１３はそれぞれ平板状の固定部１２ｂ，１３ｂと、固定部１２ｂ，１３ｂと一体的に形成された断面Ｌ字状の係合部１２ａ，１３ａとを有する。なお、図１に示すように、ソーラーパネル１４が隣り合う部分に配置される固定レール１２は、二つの固定レール１２の固定部１２ｂを一体化させた形状とすることもできる。
【００１５】
本実施形態では、屋根材１１に対する固定レール１２の固着手段として、固定レール１２の固定部１２ｂ下面と、屋根材１１表面との間に両面粘着テープ１５及び接着剤１６を介在させている。両面粘着テープ１５は、屋根材１１に対する固定レール１２の初期固定手段としての機能を発揮し、接着剤１６は固定レール１２を屋根材１１に強力に固着する機能を果たしている。スライドレール１３は、その固定部１３ｂをソーラーパネル１４の下面に密着させた状態でネジ１７によって固定されている。これにより、ソーラーパネル１４は屋根材１１との間に隙間１８を置いて、略平行を保った状態で固定される。
【００１６】
なお、固定レール１２に対するスライドレール１３のスライド移動を阻止する係止手段は、特に限定しないので、例えば、固定レールの端部を閉塞する着脱式のキャップ、固定レール１２とスライドレール１３とを握持するクランプ部材あるいは固定レール１２とスライドレール１３とを貫通する係止ボルトなど、施工現場に応じた手段を採用することができる。前述したように、ソーラーパネル１４は、屋根材１１上に固着された固定レール１２にスライドレール１３を介して係合されているので、風雨などによってソーラーパネル１４が浮き上がったり、飛ばされたりすることなく、安定した状態に保たれる。
【００１７】
一方、ソーラーパネル１４に対し、固定レール１２の長手方向（図１，図２の図面と垂直方向）と平行方向の力を加えると、ソーラーパネル１４はスライドレール１３とともに固定レール１２の長手方向に移動し、ソーラーパネル１４下方の屋根材１１が露出する。このような操作により、ソーラーパネル１４で覆われていた屋根材１１を露出させれば、屋根材１１の清掃やメンテナンスなどを容易に行うことができる。
【００１８】
また、ソーラーパネル１４をスライド移動させ屋根材１１を露出させることにより、ソーラーパネル１４と屋根材１１との隙間１８に溜まっていた木の葉や塵埃などの除去作業が容易となるので、定期的な清掃やメンテナンスを行うことにより、屋根材１１の汚損や雨漏り発生を防止することができる。
【００１９】
本実施形態では、スライド部材として、固定レール１２の長手方向に沿って係合するスライドレール１３を用いているため、ソーラーパネル１４を固定レール１２に安定保持することができ、スライド操作も容易である。また、ソーラーパネル１４のスライド移動距離が、スライドレール１３と固定レール１２との係合範囲内であれば、ソーラーパネル１４は屋根材１１と略平行な姿勢で保持されるので、作業性も良好である。
【００２０】
一方、スライドレール１３が固定レール１２から外れるまでソーラーパネル１４をスライド移動させることによって、ソーラーパネル１４を固定レール１２から離脱させることができ、これと逆の操作を行えば、ソーラーパネル１４を固定レール１２に取り付けることができる。従って、固定レール１２からソーラーパネル１４を離脱させれば、ソーラーパネル１４によって覆われていた部分の屋根材１４の清掃作業やソーラーパネル１４自体のメンテナンスが容易となり、他のソーラーパネルとの交換作業も可能となる。
【００２１】
また、屋根材１１に対する固定レール１２の固着手段として、両面粘着テープ１５及び接着剤１６を用いたことにより、ネジや釘などを使用したり、屋根材１１に孔を開設したりすることなく固定レール１２を屋根材１１に固着することができるため、取付作業は極めて容易であり、施工後の雨漏り防止にも有効である。
【００２２】
本実施形態のソーラーパネル取付構造１０は、金属板で構成された屋根材１１上に施工しているが、これに限定するものではないので、固定レール１２を両面粘着テープ１５や接着剤１６によって固定できる屋根材を有する建築物に対し広く施工可能である。
【産業上の利用可能性】
【００２３】
本発明のソーラーパネル取付構造は、金属板などで葺かれた屋根を備えた建築物に対するソーラーパネルの設置技術として広く利用することができる。
【符号の説明】
【００２４】
１０  ソーラーパネル取付構造
１１  屋根材
１２  固定レール
１３  スライドレール
１２ａ，１３ａ  係合部
１２ｂ，１３ｂ  固定部
１４  ソーラーパネル
１５  両面粘着テープ
１６  接着剤
１７  ネジ
１８  隙間
【図１】
2012162895.tif 000003
【図２】
2012162895.tif 000004